(57)【要約】【課題】患者に対して比較的やさしい情報の入手方法である触角情報を用いて、術者が、中空体に対するガイド用の線状部材の相対的な位置を感触的に知覚することができるカテーテル及びガイドワイヤを提供する。【解決手段】カテーテル１は、先端部にガイド用の線状部材としてのガイドワイヤ２０を通すための中空体としてのガイドワイヤルーメンを有する画像診断装置用のカテーテルであって、中空体には第１磁石３０が配置され、ガイドワイヤには第２磁石３５が配置され、第１磁石３０と第２磁石３５との間の磁気的な力により、中空体を通すガイド用の線状部材の繰り出し長さを、感触的に知覚可能な構成である。【選択図】図２
2016059549.tif 000002
【特許請求の範囲】
【請求項１】
カテーテルシースの先端部にガイド用の線状部材を通すための中空体を有するカテーテル及びガイド用の線状部材であって、
前記中空体には第１磁石が配置され、前記ガイド用の線状部材には第２磁石が配置されたことを特徴とするカテーテル及びガイド用の線状部材。
【請求項２】
前記第１磁石は、前記中空体の前端部または後端部の少なくとも一方に配置されていることを特徴とする請求項１に記載のカテーテル及びガイド用の線状部材。
【請求項３】
複数の前記第２磁石が、前記ガイド用の線状部材において、所定間隔をおいて配置されていることを特徴とする請求項１または２に記載のカテーテル及びガイド用の線状部材。
【請求項４】
１つの前記第２磁石が、前記ガイド用の線状部材に配置されていることを特徴とする請求項１または２に記載のカテーテル及びガイド用の線状部材。
【請求項５】
前記第１磁石と前記第２磁石は、磁気的反発力を生じる同極または磁気的吸引力を生じる異極であることを特徴とする請求項１ないし４のいずれかに記載のカテーテル及びガイド用の線状部材。
【請求項６】
カテーテルシースの先端部にガイド用の線状部材を通すための中空体を有するカテーテル及びガイド用の線状部材であって、
前記中空体には第１磁石が配置され、前記ガイド用の線状部材には磁性体が配置されたことを特徴とするカテーテル及びガイド用の線状部材。
【発明の詳細な説明】
【技術分野】
【０００１】
本発明は、カテーテルとガイドワイヤに関し、とくに先端部に比較的短いガイドワイヤルーメンを有するカテーテルとガイドワイヤに関する。
【背景技術】
【０００２】
診断や治療に用いられるカテーテルとして、先端部に比較的短いガイドワイヤルーメンを有するカテーテルがある。このカテーテルは、ガイドワイヤルーメンにガイドワイヤを挿通した状態で血管内に挿入されるものであり、ガイドワイヤからの抜き差しを迅速に行なうことができる、いわゆる「ラピッドエクスチェンジタイプ（ショートモノレールタイプ）」のカテーテルである。このようなカテーテルの用途として、血管内腔の画像を取得する画像診断が挙げられる。血管内腔の画像を取得する装置としては、血管内超音波診断装置（ＩＶＵＳ：ＩｎｔｒａＶａｓｃｕｌａｒ  Ｕｌｔｒａ  Ｓｏｕｎｄ）や、光干渉断層診断装置（ＯＣＴ：Ｏｐｔｉｃａｌ  Ｃｏｈｅｒｅｎｃｅ  Ｔｏｍｏｇｒａｐｈｙ）等が知られている。血管内腔の画像を得る目的は、ステントを載置すべき血管の位置を決めるために、あるいは既に配置したステントの経過状況を診断するため等である。
【０００３】
血管内超音波診断装置に利用されるカテーテルは、その先端部の近傍には、回転自在でかつその回転軸の軸方向に移動自在になっていて超音波の発信と受信を行う素子を持つイメージングコアを収容している。
一方、光干渉断層診断装置に利用されるカテーテルは、その先端部の近傍には、回転自在でかつその回転軸の軸方向に移動自在になっていて光の射出と受光を行う光学素子を持つイメージングコアを収容している。
【０００４】
血管内超音波診断装置や光干渉断層診断装置は、イメージングコアの構造自体には違いがあるが、回転しながらかつその回転軸の軸方向に移動しながらスキャンを行い、血管内断層像を得る点では共通な構造を有する。そのため、最近では、超音波素子や光学素子の両方を持つイメージングコアを収容するカテーテルと、そのカテーテルを用いた超音波と光干渉の両方を利用した画像断層診断を同時に行うハイブリッドタイプの画像診断装置が提案されている（特許文献１）。以下では、これらの装置を、単に画像診断装置と称することにする。
【先行技術文献】
【特許文献】
【０００５】
【特許文献１】ＷＯ２０１４／０７３０１６Ａ１
【発明の概要】
【発明が解決しようとする課題】
【０００６】
ところで、カテーテルを用いる手技では、術者が血管内でカテーテルを操作中には、ガイド用の線状部材であるガイドワイヤと、ガイドワイヤを通している中空体としてのガイドワイヤルーメンとの相対的な位置関係は、アンギオ（血管造影法）による視覚情報、あるいは術者の操作感による触角（力覚）情報を基にして得て、術者は血管内でのカテーテルの操作を行う。
【０００７】
術者がガイドワイヤの相対的な位置を知りたい場合に、アンギオ上で参照寸法と比較することになるが、アンギオは、患者のＸ線曝露を伴うために、患者の被爆の影響を考慮しなければならない方法である。一方、触角情報は、患者のＸ線曝露は伴わないので、患者に対して比較的やさしい情報の入手方法である。
しかし、実際の手技では、術者が血管内でカテーテルを操作中には、アンギオによる視覚情報からでしか、ガイドワイヤと、ガイドワイヤを通しているガイドワイヤルーメンとの相対的な位置関係を得ることができない。このため、手技中にガイドワイヤルーメンがガイドワイヤから抜け落ちるおそれがある。
【０００８】
そこで、本発明は、患者に対して比較的やさしい情報の入手方法である触角情報を用いて、術者が、中空体に対するガイド用の線状部材の相対的な位置を感触的に知覚することができるカテーテルとガイドワイヤを提供することを目的とする。
【課題を解決するための手段】
【０００９】
本発明のカテーテル及びガイドワイヤは、カテーテルシースの先端部にガイド用の線状部材を通すための中空体を有するカテーテルとガイド用の線状部材であって、前記中空体には第１磁石が配置され、前記ガイド用の線状部材には第２磁石が配置されたことを特徴とする。
上記構成によれば、中空体の第１磁石とガイド用の線状部材の第２磁石との間の磁気的な力により、中空体を通すガイド用の線状部材の繰り出し長さを、感触的に知覚可能な構成なので、患者に対して比較的やさしい情報の入手方法である触角情報を用いて、術者が、中空体に対するガイド用の線状部材の相対的な位置を感触的に知覚することができる。
【００１０】
好ましくは、前記第１磁石は、前記中空体の前端部または後端部の少なくとも一方に配置されていることを特徴とする。
上記構成によれば、第１磁石は、中空体の前端部あるいは後端部に配置するだけで、中空体の第１磁石とガイド用の線状部材の第２磁石との間の磁気的な力を得ることができる。
【００１１】
好ましくは、複数の前記第２磁石が、前記ガイド用の線状部材において、所定間隔をおいて配置されていることを特徴とする。
上記構成によれば、複数の第２磁石がガイド用の線状部材において、所定間隔をおいて配置されているので、ガイド用の線状部材を繰り出す長さが変わるたびに、中空体に対するガイド用の線状部材の相対的な位置を、段階的に感触的に知覚することができる。
【００１２】
好ましくは、１つの前記第２磁石が、前記ガイド用の線状部材に配置されていることを特徴とする。
上記構成によれば、１つの第２磁石が、ガイド用の線状部材に配置されていることで、中空体の第１磁石とガイド用の線状部材の第２磁石との間の磁気的な力を得ることができる。
【００１３】
好ましくは、前記第１磁石と前記第２磁石は、磁気的反発力を生じる同極または磁気的吸引力を生じる異極であることを特徴とする。
上記構成によれば、第１磁石と第２磁石は、同極であっても異極であっても使用できる。
【発明の効果】
【００１４】
本発明は、患者に対して比較的やさしい情報の入手方法である触角情報を用いて、術者が、中空体に対するガイド用の線状部材の相対的な位置を感触的に知覚することができるカテーテル及びガイドワイヤを提供することができる。
【図面の簡単な説明】
【００１５】
【図１】本発明のカテーテルの好ましい実施形態と、このカテーテルを適用可能な血管内腔の画像を診断するための装置を示す図である。
【図２】本発明の第１実施形態のカテーテルの先端部を拡大して示す図である。
【図３】本発明の第２実施形態のカテーテルの先端部を拡大して示す図である。
【図４】本発明の第３実施形態のカテーテルの先端部を拡大して示す図である。
【図５】本発明の第４実施形態のカテーテルの先端部を拡大して示す図である。
【発明を実施するための形態】
【００１６】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
（第１実施形態）
図１は、本発明のカテーテルの好ましい実施形態と、このカテーテル１を適用可能な血管内腔の画像を取得するための装置を示す図である。
図１に示す血管内腔の画像を取得するための装置（以下画像診断装置という）１００としては、血管内超音波診断装置（ＩＶＵＳ：ＩｎｔｒａＶａｓｃｕｌａｒ  Ｕｌｔｒａ  Ｓｏｕｎｄ）の例を示している。
【００１８】
図１に示すカテーテル１は、カテーテルシース２と、コネクタ部３とにより構成されている。このカテーテルシース２は、血管内に挿抜可能に挿入される中空状の長尺の部材である。コネクタ部３は、カテーテルシース２の一端部に接続されており、血管内には挿入されず、術者が操作するために術者の手元側に配置されている。コネクタ部３は、円筒状の接続端部４を有している。
画像診断装置１００は、スキャナ／プルバック部１０１と、操作制御装置１０２を有しており、スキャナ／プルバック部１０１は、接続保持部１０３を有している。操作制御装置１０２は、操作パネル１０４やモニタ１０５等を有している。スキャナ／プルバック部１０１と操作制御装置１０２は、信号ライン１０６により接続されている。
【００１９】
図１に示すカテーテル１は、直接患者の血管内に挿入され、イメージングコア５より照射される超音波を用いて血管内部の状態を測定する。カテーテル１の接続端部４は、スキャナ／プルバック部１０１の接続保持部１０３に対して、着脱可能に接続される。スキャナ／プルバック部１は、モータドライブユニット（ＭＤＵ）あるいはドライブ装置ともいい、カテーテル１内のイメージングコア５のラジアル走査を実行する。
操作制御装置１０２は、血管内超音波診断を行う際に、各種の設定値を入力するための機能、測定により得られるデータを処理して、断面画像として表示するための機能等を有する。
【００２０】
図１に示すカテーテル１は、カテーテルシース２を有し、このカテーテルシース２の先端部６の近傍には、イメージングコア５を収容している。このイメージングコア５は、回転自在でかつその回転軸の軸方向に移動自在になっていて、超音波の発信と受信を行う素子を有している。
カテーテルシース２の先端部６には、チューブ状のガイドワイヤルーメン１０が設けられている。このガイドワイヤルーメン１０は、診断対象の血管の位置まで、カテーテル１を案内するためのガイドワイヤ（ＧＷ）２０を通している。このガイドワイヤ２０は、ガイド用の線状部材の例であり、中空体であるガイドワイヤルーメン１０を通じて、ガイドワイヤ２０の長手方向に沿ってスライド自在に保持されている。
【００２１】
カテーテルシース２は、ガイドワイヤルーメン１０からコネクタ部３の一端部まで連続して管腔を形成している中空部材である。カテーテルシース２内には、破線で示すように駆動シャフト９が回転自在に配置されている。
カテーテルシース２の先端部６の内部には、イメージングコア５が収容されている。イメージングコア５は、先端部６の内部において回転自在であり、しかもカテーテルシース２の軸方向に沿って移動自在である。このイメージングコア５は、駆動シャフト９の先端部に固定されている。イメージングコア５は、超音波の発信と、その超音波の反射波を受信することができる超音波素子を有している。この超音波素子は、超音波を、カテーテルシース２の軸方向と直交する方向へ発信して、その超音波の血管壁からの反射波を受信する。
【００２２】
図１に示す駆動シャフト９は、コネクタ部３からの回転力をイメージングコア５に伝達する機能を有し、しかも駆動シャフト９は、超音波素子との電気的に接続する信号線を収容している。駆動シャフト９が、イメージングコア５を回転し、しかも軸方向に移動させることで、イメージングコア５は、対象となる血管壁部に対して、超音波を照射し、その超音波の反射波を受信できる。
【００２３】
次に、上述したカテーテル１について、図２を参照して、さらに詳しく説明する。
図２は、本発明の第１実施形態のカテーテル１の先端部を拡大して示している。
図２に示すように、すでに説明した通り、カテーテルシース２の先端部６の内部には、イメージングコア５が収容されている。また、カテーテルシース２の先端部６には、チューブ状のガイドワイヤルーメン１０が設けられている。このガイドワイヤルーメン１０は、診断対象の血管の位置まで、カテーテル１を案内するためのガイドワイヤ（ＧＷ）２０を通している。このガイドワイヤ２０は、ガイドワイヤルーメン１０を通じて、ガイドワイヤ２０の長手方向に沿ってスライド自在に保持されている。
【００２４】
図２に示すように、ガイドワイヤ２０の先端部２１は、柔軟性を有していることで、蛇行している血管内における追従性を確保し、血管損傷を防いでいる。このガイドワイヤ２０は、断面円形状の長尺状の部材であり、例えば合金やステンレス等により作られており、表面には、親水性コーティングが施されているが、特にこれに限定されない。ガイドワイヤ２０は、復元性に優れ、折れ曲がり（キンク）が起こり難く、高い操作性を有している。
一方、ガイドワイヤルーメン１０は、ガイドワイヤ２０を通すための断面円形のガイド通路１１を有している。ガイドワイヤルーメン１０の先端部１２は、ガイドワイヤルーメン１０の軸方向Ｔ（ガイドワイヤ２０の進行方向）に対して直交して形成されている面であるが、後端部１３の開口部１４は、斜めに傾斜して形成されている傾斜面である。
【００２５】
図２に示すように、ガイドワイヤルーメン１０の先端部１２には、１つの第１磁石３０が配置されている。ガイドワイヤ２０には、軸方向に沿って予め定めた等間隔Ｄをおいて、位置マーカとしての複数の第２磁石３５が配置されている。１つの第１磁石３０と複数の第２磁石３５は、永久磁石であり、例えばアルニコ磁石、フェライト磁石、ネオジム磁石等を採用できる。１つの第１磁石３０と複数の第２磁石３５は、ガイドワイヤルーメン１０に対してガイドワイヤ２０を通している位置の大小である深度を示す深度マーカと呼ぶことができる。
【００２６】
第１磁石３０と複数の第２磁石３５は、磁気的吸引力を発揮するために互いに異極であり、第１磁石３０がＮ極であれば、複数の第２磁石３５はＳ極である。また、第１磁石３０がＳ極であれば、複数の第２磁石３５はＮ極である。
しかし、第１磁石３０と複数の第２磁石３５は、磁気的反発力を発揮するために互いに同極であっても良い。この場合には、第１磁石３０がＮ極であれば、複数の第２磁石３５もＮ極である。また、第１磁石３０がＳ極であれば、複数の第２磁石３５もＳ極である。
いずれの場合であっても、術者が、ガイドワイヤ２０を、ガイドワイヤルーメン１０のガイド通路１１において軸方向Ｔに沿って移動する際に、ガイドワイヤルーメン１０の第１磁石３０とガイドワイヤ２０の複数の第２磁石３５との間には、磁気的に相互作用が働くようになっている。
【００２７】
これにより、第１磁石３０と複数の第２磁石３５が、磁気的吸引力を発揮するために互いに異極であれば、磁気的な吸引力により、術者の手元では、ガイドワイヤ２０の複数の第２磁石３５がガイドワイヤルーメン１０の第１磁石３０を通過するたびに、磁気的な相互作用を感覚的に知覚できる。
また、第１磁石３０と複数の第２磁石３５が、磁気的反発力（斥力）を発揮するために互いに同極であれば、磁気的な反発力により、術者の手元では、ガイドワイヤ２０の複数の第２磁石３５がガイドワイヤルーメン１０の第１磁石３０を通過するたびに、磁気的な相互作用を感覚的に知覚できる。
【００２８】
従って、術者は、ラインマーカを目視しなくても、ガイドワイヤルーメン１０に対するガイドワイヤ２０の軸方向Ｔにおける進行距離を、感覚的に認識することができる。このため、術者は、患者に対して比較的やさしい情報の入手方法である触角情報を用いて、デバイスであるガイドワイヤルーメン１０に対するガイドワイヤ２０の相対的な位置を、クリック感的に感覚的に認識することができる。このことから、手技中にガイドワイヤルーメン１０がガイドワイヤ２０から抜け落ちるおそれが無くなる。
【００２９】
（第２実施形態）
次に、本発明の第２実施形態を、図３を参照して説明する。
なお、以下に説明する各実施形態におけるカテーテル１の構成要素が、図２に示すカテーテル１の構成要素と同様である場合には、同じ符号を付けて、その説明を省略する。
【００３０】
図３は、本発明の第２実施形態を示している。
図２に示す第１実施形態では、ガイドワイヤルーメン１０の先端部１２には、１つの第１磁石３０が配置されている。これに対して、図３に示す第２実施形態では、第１磁石３０は、ガイドワイヤルーメン１０の後端部１３寄りの位置に配置されている。この第１磁石３０の配置位置に対応して、ガイドワイヤ２０には、軸方向に沿って予め定めた等間隔Ｄをおいて、位置マーカとしての複数の第２磁石３５が配置されている。第１磁石３０と複数の第２磁石３５は、ガイドワイヤルーメン１０に対してガイドワイヤ２０を通している位置の大小である深度を示す深度マーカと呼ぶことができる。
【００３１】
第２実施形態においても、術者は、ラインマーカを目視しなくても、ガイドワイヤルーメン１０に対するガイドワイヤ２０の軸方向Ｔにおける進行距離を、感覚的に認識することができる。このため、術者は、患者に対して比較的やさしい情報の入手方法である触角情報を用いて、デバイスであるガイドワイヤルーメン１０に対するガイドワイヤ２０の相対的な位置を、クリック感的に感覚的に認識することができる。このことから、手技中にガイドワイヤルーメン１０がガイドワイヤ２０から抜け落ちるおそれが無くなる。
【００３２】
（第３実施形態）
次に、本発明の第３実施形態を、図４を参照して説明する。
図４は、本発明の第３実施形態を示している。
図４に示すガイドワイヤルーメン１０の先端部１２には、１つの第１磁石３０が配置されている。これに対して、ガイドワイヤ２０には、先端部２１に寄りの位置に、１つの第２磁石４０が配置されている。第１磁石３０と第２磁石４０は、ガイドワイヤルーメン１０に対してガイドワイヤ２０を通している位置の大小である深度を示す深度マーカと呼ぶことができる。
【００３３】
第１磁石３０と第２磁石４０は、磁気的吸引力を発揮するために互いに異極であれば、磁気的な吸引力により、術者の手元では、ガイドワイヤ２０の第２磁石４０がガイドワイヤルーメン１０の第１磁石３０を通過するたびに、磁気的な相互作用を感覚的に知覚できる。
また、第１磁石３０と第２磁石４０が、磁気的反発力（斥力）を発揮するために互いに同極であれば、磁気的な反発力により、術者の手元では、ガイドワイヤ２０の第２磁石４０がガイドワイヤルーメン１０の第１磁石３０を通過するたびに、磁気的な相互作用を感覚的に知覚できる。
【００３４】
第３実施形態においても、術者は、ラインマーカを目視しなくても、ガイドワイヤルーメン１０に対するガイドワイヤ２０の軸方向Ｔにおける進行距離を、感覚的に認識することができる。このため、術者は、患者に対して比較的やさしい情報の入手方法である触角情報を用いて、デバイスであるガイドワイヤルーメン１０に対するガイドワイヤ２０の相対的な位置を、クリック感的に感覚的に認識することができることから、手技中にガイドワイヤルーメン１０がガイドワイヤ２０から抜け落ちるおそれが無くなる。
【００３５】
（第４実施形態）
次に、本発明の第４実施形態を、図５を参照して説明する。
図５は、本発明の第４実施形態を示している。
図５に示すガイドワイヤルーメン１０の先端部１３には、１つの第１磁石３０が配置されている。これに対して、ガイドワイヤ２０には、先端部２１からは離れた位置に、１つの第２磁石４０が配置されている。第１磁石３０と第２磁石４０は、ガイドワイヤルーメン１０に対してガイドワイヤ２０を通している位置の大小である深度を示す深度マーカと呼ぶことができる。
【００３６】
第１磁石３０と第２磁石４０は、磁気的吸引力を発揮するために互いに異極であれば、磁気的な吸引力により、術者の手元では、ガイドワイヤ２０の第２磁石４０がガイドワイヤルーメン１０の第１磁石３０を通過するたびに、磁気的な相互作用を感覚的に知覚できる。
また、第１磁石３０と第２磁石４０が、磁気的反発力（斥力）を発揮するために互いに同極であれば、磁気的な反発力により、術者の手元では、ガイドワイヤ２０の第２磁石４０がガイドワイヤルーメン１０の第１磁石３０を通過するたびに、磁気的な相互作用を感覚的に知覚できる。
【００３７】
第４実施形態においても、術者は、ラインマーカを目視しなくても、ガイドワイヤルーメン１０に対するガイドワイヤ２０の軸方向Ｔにおける進行距離を、感覚的に認識することができる。このため、術者は、患者に対して比較的やさしい情報の入手方法である触角情報を用いて、デバイスであるガイドワイヤルーメン１０に対するガイドワイヤ２０の相対的な位置を、クリック感的に感覚的に認識することができる。このことから、手技中にガイドワイヤルーメン１０がガイドワイヤ２０から抜け落ちるおそれが無くなる。
【００３８】
上述した本発明の実施形態を纏めると、カテーテル１は、ガイド用の線状部材を通すための中空体を、先端部に有する画像診断装置用のカテーテルであって、中空体には第１磁石が配置され、ガイド用の線状部材には第２磁石が配置され、第１磁石と第２磁石との間の磁気的な力により、中空体を通すガイド用の線状部材の繰り出し長さを、感触的に知覚可能な構成である。これにより、中空体の第１磁石とガイド用の線状部材の第２磁石との間の磁気的な力により、中空体を通すガイド用の線状部材の繰り出し長さを、感触的に知覚可能な構成なので、患者に対して比較的やさしい情報の入手方法である触角情報を用いて、術者が、中空体に対するガイド用の線状部材の相対的な位置を感触的に知覚することができる。
【００３９】
また、第１磁石は、中空体の前端部または後端部の少なくとも一方に配置されている。これにより、第１磁石は、中空体の前端部あるいは後端部に配置するだけで、中空体の第１磁石とガイド用の線状部材の第２磁石との間の磁気的な力を得ることができる。
【００４０】
また、複数の第２磁石が、ガイド用の線状部材において、所定間隔をおいて配置されている場合、これにより、複数の第２磁石がガイド用の線状部材において、所定間隔をおいて配置されているので、ガイド用の線状部材を繰り出す長さが変わるたびに、中空体に対するガイド用の線状部材の相対的な位置を、段階的に感触的に知覚することができる。
【００４１】
また、１つの第２磁石が、ガイド用の線状部材に配置されている場合、これにより、１つの第２磁石が、ガイド用の線状部材に配置されていることで、中空体の第１磁石とガイド用の線状部材の第２磁石との間の磁気的な力を得ることができる。
【００４２】
また、第１磁石と第２磁石は、磁気的反発力を生じる同極または磁気的吸引力を生じる異極である。これにより、第１磁石と第２磁石は、同極であっても異極であっても使用できる。また、ガイド用の線状部材に配置されているのは磁石ではなく、鉄などの磁性体であっても良い。この場合、中空体の第１磁石により磁気的吸引力は生じるが、お互いが磁石ではないため、磁気的反発力は生じない。
【００４３】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
上述した各実施形態では、図１に示す血管内腔の画像を取得する装置１００としては、血管内超音波診断装置（ＩＶＵＳ）の例を示している。しかし、血管内腔の画像を取得する装置１００としては、血管内超音波診断装置（ＩＶＵＳ）に限らず、光干渉断層診断装置（ＯＣＴ）や、超音波素子や光学素子の両方を持つイメージングコアを収容するカテーテルと、そのカテーテルを用いた超音波と光干渉の両方を利用した画像断層診断を同時に行うハイブリッドタイプの画像診断装置であっても良い。本発明の実施形態のカテーテル１は、上述した各種の血管内腔の画像を取得する装置１００に適用することができる。
また、本発明のように磁石を用いることは、ガイディングカテーテル、マイクロカテーテル、さらには治療用の吸引カテーテルなどとガイドワイヤとの組合せであっても良い。
【符号の説明】
【００４４】
１・・・カテーテル、２・・・カテーテルシース、３・・・コネクタ部、４・・・接続端部、５・・・イメージングコア、６・・・カテーテルシースの先端部、９・・・駆動シャフト、１０・・・ガイドワイヤルーメン（中空体）、２０・・・ガイドワイヤ（ＧＷ）（ガイド用の線状部材）、１０２・・・操作制御装置、Ｔ・・・軸方向（ガイドワイヤ２０の進行方向）、３０・・・第１磁石、３５・・・第２磁石、４０・・・第２磁石
【図１】
2016059549.tif 000003
【図２】
2016059549.tif 000004
【図３】
2016059549.tif 000005
【図４】
2016059549.tif 000006
【図５】
2016059549.tif 000007